(57)【特許請求の範囲】
【請求項１】
第１の周波数帯域の第１の信号と前記第１の周波数帯域より高い第２の周波数帯域の第２の信号とを入力または出力する第１の入出力手段と、
前記第１の信号の入力または出力を行う第２の入出力手段と、
前記第１の入出力手段と前記第２の入出力手段との間に介在し、前記第１の入出力手段と前記第２の入出力手段との間で伝送される信号のうち、前記第１の信号を透過させ、前記第２の信号を透過させない、フィルタ回路と、
前記第１の入出力手段と前記フィルタ回路との間に介在し、前記第２の入出力手段が有効な信号を入力または出力する第１の状態において前記第１の入出力手段と前記フィルタ回路との間を接続状態にし、前記第２の入出力手段が有効な信号を入力および出力しない第２の状態において前記第１の入出力手段と前記フィルタ回路との間を非接続状態にする、接続回路と、
前記第１の入出力手段と前記フィルタ回路との間で前記接続回路に対して並列に接続され、前記第１の周波数帯域および前記第２の周波数帯域に減衰極が生じないように容量が設定されたコンデンサと
を有する、信号処理装置。
【請求項２】
第１の周波数帯域の音声信号と前記第１の周波数帯域より高い第２の周波数帯域のデータ信号とを入出力する第１の入出力手段と、
前記音声信号の入力または出力を行う第２の入出力手段と、
前記第１の入出力手段と前記第２の入出力手段との間に介在し、前記第１の入出力手段と前記第２の入出力手段との間で伝送される信号のうち、前記音声信号を透過させ、前記データ信号を透過させない、フィルタ回路と、
前記第１の入出力手段と前記フィルタ回路との間に介在し、前記第２の入出力手段が有効な信号を入力または出力する第１の状態において前記第１の入出力手段と前記フィルタ回路との間を接続状態にし、前記第２の入出力手段が有効な信号を入力および出力しない第２の状態において前記第１の入出力手段と前記フィルタ回路との間を非接続状態にする、接続回路と、
前記第１の入出力手段と前記フィルタ回路との間で前記接続回路に対して並列に接続され、前記第１の周波数帯域および前記第２の周波数帯域に減衰極が生じないように容量が設定されたコンデンサと
を有する、信号処理装置。
【請求項３】
第１の周波数帯域の第１の信号と前記第１の周波数帯域より高い第２の周波数帯域の第２の信号とを入出力する第１の入出力手段と、
前記第１の信号の入力または出力を行う第２の入出力手段と、
前記第１の入出力手段と前記第２の入出力手段との間に介在し、前記第１の入出力手段と前記第２の入出力手段との間で伝送される信号のうち、前記第１の信号を透過させ、前記第２の信号を透過させない、第１のフィルタ回路と、
前記第１の入出力手段と前記第１のフィルタ回路との間に介在し、前記第２の入出力手段が有効な信号を入力または出力する第１の状態において前記第１の入出力手段と前記第１のフィルタ回路との間を接続状態にし、前記第２の入出力手段が有効な信号を入力および出力しない第２の状態において前記第１の入出力手段と前記第１のフィルタ回路との間を非接続状態にする、接続回路と、
前記第１の入出力手段と前記第１のフィルタ回路との間で前記接続回路に対して並列に接続され、前記第１の周波数帯域および前記第２の周波数帯域に減衰極が生じないように容量が設定されたコンデンサと、
前記第２の信号を入力または出力する第３の入出力手段と、
前記第１の入出力手段と前記第３の入出力手段との間に介在し、前記第１の入出力手段と前記第３の入出力手段との間で伝送される信号のうち、前記第２の信号を透過させ、前記第１の信号を透過させない、第２のフィルタ回路と
を有する、スプリッタ。
【請求項４】
第１の周波数帯域の第１の信号と前記第１の周波数帯域より高い第２の周波数帯域の第２の信号とを入出力する第１の入出力手段と、
前記第１の信号の入力または出力を行う第２の入出力手段と、
前記第１の入出力手段と前記第２の入出力手段との間に介在し、前記第１の入出力手段と前記第２の入出力手段との間で伝送される信号のうち、前記第１の信号を透過させ、前記第２の信号を透過させない、フィルタ回路と、
前記第１の入出力手段と前記フィルタ回路との間に介在し、前記第２の入出力手段が有効な信号を入力または出力する第１の状態において前記第１の入出力手段と前記フィルタ回路との間を接続状態にし、前記第２の入出力手段が有効な信号を入力および出力しない第２の状態において前記第１の入出力手段と前記フィルタ回路との間を非接続状態にする、接続回路と、
前記第１の入出力手段と前記フィルタ回路との間で前記接続回路に対して並列に接続され、前記第１の周波数帯域および前記第２の周波数帯域に減衰極が生じないように容量が設定されたコンデンサと、
前記第１の入出力手段で入力または出力される前記第１の信号および前記第２の信号を入力または出力する第３の入出力手段と
を有する、信号処理装置。
【請求項５】
第１の周波数帯域の第１の信号と前記第１の周波数帯域より高い第２の周波数帯域の第２の信号とを入力または出力する第１の入出力手段と、
前記第１の入出力手段との間で前記第１の信号および前記第２の信号の入力または出力を行う第２の入出力手段と、
前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、
前記第１の入出力手段と前記第２の入出力手段との間で前記接続回路に対して並列に接続され、前記第１の周波数帯域および前記第２の周波数帯域に減衰極が生じないように容量が設定されたコンデンサと
を有する、信号処理装置。
【請求項６】
第１の周波数帯域の第１の信号と前記第１の周波数帯域より高い第２の周波数帯域の第２の信号とを入力または出力する第１の入出力手段と、
前記第１の入出力手段との間で前記第１の信号および前記第２の信号の入力または出力を行う第２の入出力手段と、
前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、
前記第１の入出力手段と前記第２の入出力手段との間で前記接続回路に対して並列に接続され、前記第１の周波数帯域および前記第２の周波数帯域に減衰極が生じないように容量が設定されたコンデンサと、
前記第２の信号を入力または出力する第３の入出力手段と、
前記第１の入出力手段と前記第３の入出力手段との間に介在し、前記第１の入出力手段と前記第３の入出力手段との間で伝送される信号のうち、前記第２の信号を透過させ、前記第１の信号を透過させない、フィルタ回路と
を有する、信号処理装置。
【請求項７】
第１の周波数帯域の音声信号と前記第１の周波数帯域より高い第２の周波数帯域のデータ信号とを入力または出力する第１の入出力手段と、
前記第１の入出力手段との間で前記音声信号および前記データ信号の入力または出力を行う第２の入出力手段と、
前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、
前記第１の入出力手段と前記第２の入出力手段との間で前記接続回路に対して並列に接続され、前記第１の周波数帯域および前記第２の周波数帯域に減衰極が生じないように容量が設定されたコンデンサと
を有する、信号処理装置。
【請求項８】
第１の周波数帯域の音声信号と前記第１の周波数帯域より高い第２の周波数帯域のデータ信号とを入力または出力する第１の入出力手段と、
前記第１の入出力手段との間で前記音声信号および前記データ信号の入力または出力を行う第２の入出力手段と、
前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、
前記第１の入出力手段と前記第２の入出力手段との間で前記接続回路に対して並列に接続され、前記第１の周波数帯域および前記第２の周波数帯域に減衰極が生じないように容量が設定されたコンデンサと、
前記データ信号を入力または出力する第３の入出力手段と、
前記第１の入出力手段と前記第３の入出力手段との間に介在し、前記第１の入出力手段と前記第３の入出力手段との間で伝送される信号のうち、前記データ信号を透過させ、前記音声信号を透過させない、フィルタ回路と
を有する、信号処理装置。
【請求項９】
第１の周波数帯域の第１の信号と前記第１の周波数帯域より高い第２の周波数帯域の第２の信号とを入力または出力する第１の入出力手段と、
前記第１の入出力手段との間で前記第１の信号および前記第２の信号の入力または出力を行う第２の入出力手段と、
前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、
前記第１の入出力手段と前記第２の入出力手段との間で前記接続回路に対して並列に接続され、前記第１の周波数帯域および前記第２の周波数帯域に減衰極が生じないように容量が設定されたコンデンサと、
前記第１の入出力手段で入力または出力される前記第１の信号および前記第２の信号を入力または出力する第３の入出力手段と
を有する、信号処理装置。
【請求項１０】
前記接続回路は、
前記第２の入出力手段が前記第１の状態の場合に、前記第１の入出力手段と前記第２の入出力手段との間で信号を伝送可能なインピーダンスを有し、
前記第２の入出力手段が前記第２の状態のとき、前記第１の入出力手段と前記フィルタ回路との間を非接続状態にするインピーダンスを有する、
請求項１〜９のいずれかに記載の信号処理装置またはスプリッタ。
【請求項１１】
前記第１の入出力手段と前記接続回路との間、および、前記接続回路と前記第１フィルタ回路または前記フィルタ回路との間には、それぞれ１対の第１の電線対および第２の電線対が設けられており、
前記接続回路は、
前記第１の電線対の第１の電線と対応する前記第２の電線対の第１の電線との間に、前記第１の入出力手段から前記第１フィルタ回路または前記フィルタ回路に向けて順方向となる第１のダイオードと、前記第１フィルタ回路または前記フィルタ回路から前記第１の入出力手段に向けて順方向となる第２のダイオードとを並列に接続した第１のダイオード並列回路と、
前記第１の電線対の第２の電線と対応する前記第２の電線対の第２の電線との間に、前記第１の入出力手段から前記第１フィルタ回路または前記フィルタ回路に向けて順方向となる第３のダイオードと、前記第１フィルタ回路または前記フィルタ回路から前記第１の入出力手段に向けて順方向となる第４のダイオードとを並列に接続した第２のダイオード並列回路と
を有する、
請求項１０に記載の信号処理装置またはスプリッタ。
【請求項１２】
前記コンデンサは、
前記第１のダイオードと並列に接続された第１のコンデンサと、
前記第４のダイオードと並列に接続された第２のコンデンサと
を有する、
請求項１〜１１のいずれかに記載の信号処理装置またはスプリッタ。
【発明の詳細な説明】
【０００１】
【発明の属する技術分野】
本発明は、例えば、ｘＤＳＬ(Digital Subscriber Line) において使用される、音声信号などの第１の信号とデータ信号などの第２の信号とを分離・合成する場合などに用いられる信号処理装置およびスプリッタに関する。
【０００２】
【従来の技術】
電話回線を利用して、加入者が電話サービスをそのまま使用しながら、データ通信サービスの提供を受けることを可能にするｘＤＳＬ通信が知られている。
例えばＡＤＳＬ通信では、電話サービスとして用いられる音声周波数帯域である０〜４ＫＨｚよりも高い周波数帯域である２５ＫＨｚ〜１１０４ＫＨｚが、データ通信サービスに用いられる。
このようなサービスを受ける加入者宅では、電話回線の通信ポートに、例えば、ツイストペアなどの２つの電線からなる２軸ケーブルを介してスプリッタのＬＩＮＥポートが接続される。
また、スプリッタのＰＨＯＮＥポートに電話機が接続され、モデムポートにｘＤＳＬモデムが接続される。
これらのポートの各々は、上記通信ケーブルに対応する２つの電線がそれぞれ接続される２つの接続部を有している。
スプリッタは、電話回線を介して伝送されるアナログ信号から、０〜４ＫＨｚの音声信号を抽出するフィルタ回路を内蔵している。
このフィルタ回路としては、例えば、ラダー型のものが用いられ、第１の電線および第２の電線上でそれぞれ直列に接続された複数のコイルと、当該複数の第１のコイルの接合部と当該複数の第２のコイルの接合部との間に介在するコンデンサとを用いて構成される。
【０００３】
【発明が解決しようとする課題】
ところで、加入者宅では、電話回線の通信ポートに、複数のスプリッタが並列接続される場合がある。
この場合に、例えば、第１のスプリッタのＰＨＯＮＥポートに接続された第１の電話機がオンフック状態（非通話状態）の場合に、第１のスプリッタのＰＨＯＮＥポートの第１の電線および第２の電線が切断状態となっているため、第１のスプリッタのフィルタ回路を構成するコイル（Ｌ）とコンデンサ（Ｃ）とを直列接続した回路が、上記電話回線の通信ポートに接続される通信ケーブルの第１の電線と第２の電線との間に接続されることとなる。
その結果、第１の電線と第２の電線とを介して伝送される信号に減衰極が生じてしまい、第２のスプリッタのＰＨＯＮＥポートに接続された第２の電話機がオフフック状態（通話状態）のときに、当該第２の電話機を用いた通信で、ダイヤル信号の誤発信や、ファクシミリ、ナンバーディスプレイおよび情報提供サービスの動作不良が生じるという問題がある。
【０００４】
本発明はかかる事情に鑑みてなされたものであり、フィルタ回路を備えた複数の信号処理装置が並列された場合でも、信号減衰を生じない信号処理装置およびスプリッタを提供することを目的とする。
【０００５】
【課題を解決するための手段】
上記の目的を達成するため、第１の発明の信号処理装置は、第１の周波数帯域の第１の信号と前記第１の周波数帯域より高い第２の周波数帯域の第２の信号とを入力または出力する第１の入出力手段と、前記第１の信号の入力または出力を行う第２の入出力手段と、前記第１の入出力手段と前記第２の入出力手段との間に介在し、前記第１の入出力手段と前記第２の入出力手段との間で伝送される信号のうち、前記第１の信号を透過させ、前記第２の信号を透過させない、フィルタ回路と、前記第１の入出力手段と前記フィルタ回路との間に介在し、前記第２の入出力手段が有効な信号を入力または出力する第１の状態において前記第１の入出力手段と前記フィルタ回路との間を接続状態にし、前記第２の入出力手段が有効な信号を入力および出力しない第２の状態において前記第１の入出力手段と前記フィルタ回路との間を非接続状態にする、接続回路と、前記第１の入出力手段と前記フィルタ回路との間で前記接続回路に対して並列に接続され、前記第１の周波数帯域および前記第２の周波数帯域に減衰極が生じないように容量が設定されたコンデンサとを有する。
【０００６】
上述した第１の発明の信号処理装置では、第２の入出力手段が第２の状態（信号を入力および出力しない状態）になると、接続回路によって、前記第１の入出力手段と前記フィルタ回路との間が切断状態（非接続状態）にされる。
これにより、フィルタ回路が、第１の入出力手段から切り離される。
そのため、当該信号処理装置を複数並列に接続した場合に、所定の信号処理装置の第２の入出力手段が第２の状態となっても当該信号処理装置のフィルタ回路を構成する、例えばコイルやコンデンサによる影響が第１の入出力手段側に生じることはなく、当該信号処理装置に並列に接続された他の信号処理装置に入出力される信号が減衰することを効果的に回避できる。
加えて、上述した第１の発明の信号処理装置は、接続回路に対して並列に接続されたコンデンサにより、前記第１の周波数帯域および前記第２の周波数帯域に減衰極が生じないように動作する。当該コンデンサの容量は、例えば、フィルタ回路のインダクタンスとの関係を基に決定されている。
【００１２】
第２の発明の信号処理装置は、第１の周波数帯域の音声信号と前記第１の周波数帯域より高い第２の周波数帯域のデータ信号とを入出力する第１の入出力手段と、前記音声信号の入力または出力を行う第２の入出力手段と、前記第１の入出力手段と前記第２の入出力手段との間に介在し、前記第１の入出力手段と前記第２の入出力手段との間で伝送される信号のうち、前記音声信号を透過させ、前記データ信号を透過させない、フィルタ回路と、前記第１の入出力手段と前記フィルタ回路との間に介在し、前記第２の入出力手段が有効な信号を入力または出力する第１の状態において前記第１の入出力手段と前記フィルタ回路との間を接続状態にし、前記第２の入出力手段が有効な信号を入力および出力しない第２の状態において前記第１の入出力手段と前記フィルタ回路との間を非接続状態にする、接続回路と、前記第１の入出力手段と前記フィルタ回路との間で前記接続回路に対して並列に接続され、前記第１の周波数帯域および前記第２の周波数帯域に減衰極が生じないように容量が設定されたコンデンサとを有する。
【００１３】
第３の発明のスプリッタは、第１の周波数帯域の第１の信号と前記第１の周波数帯域より高い第２の周波数帯域の第２の信号とを入出力する第１の入出力手段と、前記第１の信号の入力または出力を行う第２の入出力手段と、前記第１の入出力手段と前記第２の入出力手段との間に介在し、前記第１の入出力手段と前記第２の入出力手段との間で伝送される信号のうち、前記第１の信号を透過させ、前記第２の信号を透過させない、第１のフィルタ回路と、前記第１の入出力手段と前記第１のフィルタ回路との間に介在し、前記第２の入出力手段が有効な信号を入力または出力する第１の状態において前記第１の入出力手段と前記第１のフィルタ回路との間を接続状態にし、前記第２の入出力手段が有効な信号を入力および出力しない第２の状態において前記第１の入出力手段と前記第１のフィルタ回路との間を非接続状態にする、接続回路と、前記第１の入出力手段と前記第１のフィルタ回路との間で前記接続回路に対して並列に接続され、前記第１の周波数帯域および前記第２の周波数帯域に減衰極が生じないように容量が設定されたコンデンサと、前記第２の信号を入力または出力する第３の入出力手段と、前記第１の入出力手段と前記第３の入出力手段との間に介在し、前記第１の入出力手段と前記第３の入出力手段との間で伝送される信号のうち、前記第２の信号を透過させ、前記第１の信号を透過させない、第２のフィルタ回路とを有する。
【００１４】
第４の発明の信号処理装置は、第１の周波数帯域の第１の信号と前記第１の周波数帯域より高い第２の周波数帯域の第２の信号とを入出力する第１の入出力手段と、前記第１の信号の入力または出力を行う第２の入出力手段と、前記第１の入出力手段と前記第２の入出力手段との間に介在し、前記第１の入出力手段と前記第２の入出力手段との間で伝送される信号のうち、前記第１の信号を透過させ、前記第２の信号を透過させない、フィルタ回路と、前記第１の入出力手段と前記フィルタ回路との間に介在し、前記第２の入出力手段が有効な信号を入力または出力する第１の状態において前記第１の入出力手段と前記フィルタ回路との間を接続状態にし、前記第２の入出力手段が有効な信号を入力および出力しない第２の状態において前記第１の入出力手段と前記フィルタ回路との間を非接続状態にする、接続回路と、前記第１の入出力手段と前記フィルタ回路との間で前記接続回路に対して並列に接続され、前記第１の周波数帯域および前記第２の周波数帯域に減衰極が生じないように容量が設定されたコンデンサと、前記第１の入出力手段で入力または出力される前記第１の信号および前記第２の信号を入力または出力する第３の入出力手段とを有する。
【００１５】
第５の発明の信号処理装置は、第１の周波数帯域の第１の信号と前記第１の周波数帯域より高い第２の周波数帯域の第２の信号とを入力または出力する第１の入出力手段と、前記第１の入出力手段との間で前記第１の信号および前記第２の信号の入力または出力を行う第２の入出力手段と、前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、前記第１の入出力手段と前記第２の入出力手段との間で前記接続回路に対して並列に接続され、前記第１の周波数帯域および前記第２の周波数帯域に減衰極が生じないように容量が設定されたコンデンサとを有する。
【００１６】
第６の発明の信号処理装置は、第１の周波数帯域の第１の信号と前記第１の周波数帯域より高い第２の周波数帯域の第２の信号とを入力または出力する第１の入出力手段と、前記第１の入出力手段との間で前記第１の信号および前記第２の信号の入力または出力を行う第２の入出力手段と、前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、前記第１の入出力手段と前記第２の入出力手段との間で前記接続回路に対して並列に接続され、前記第１の周波数帯域および前記第２の周波数帯域に減衰極が生じないように容量が設定されたコンデンサと、前記第２の信号を入力または出力する第３の入出力手段と、前記第１の入出力手段と前記第３の入出力手段との間に介在し、前記第１の入出力手段と前記第３の入出力手段との間で伝送される信号のうち、前記第２の信号を透過させ、前記第１の信号を透過させない、フィルタ回路とを有する。
【００１７】
第７の発明の信号処理装置は、第１の周波数帯域の音声信号と前記第１の周波数帯域より高い第２の周波数帯域のデータ信号とを入力または出力する第１の入出力手段と、前記第１の入出力手段との間で前記音声信号および前記データ信号の入力または出力を行う第２の入出力手段と、前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、前記第１の入出力手段と前記第２の入出力手段との間で前記接続回路に対して並列に接続され、前記第１の周波数帯域および前記第２の周波数帯域に減衰極が生じないように容量が設定されたコンデンサとを有する。
【００１８】
第８の発明の信号処理装置は、第１の周波数帯域の音声信号と前記第１の周波数帯域より高い第２の周波数帯域のデータ信号とを入力または出力する第１の入出力手段と、前記第１の入出力手段との間で前記音声信号および前記データ信号の入力または出力を行う第２の入出力手段と、前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、前記第１の入出力手段と前記第２の入出力手段との間で前記接続回路に対して並列に接続され、前記第１の周波数帯域および前記第２の周波数帯域に減衰極が生じないように容量が設定されたコンデンサと、前記データ信号を入力または出力する第３の入出力手段と、前記第１の入出力手段と前記第３の入出力手段との間に介在し、前記第１の入出力手段と前記第３の入出力手段との間で伝送される信号のうち、前記データ信号を透過させ、前記音声信号を透過させない、フィルタ回路とを有する。
【００１９】
第９の発明の信号処理装置は、第１の周波数帯域の第１の信号と前記第１の周波数帯域より高い第２の周波数帯域の第２の信号とを入力または出力する第１の入出力手段と、前記第１の入出力手段との間で前記第１の信号および前記第２の信号の入力または出力を行う第２の入出力手段と、前記第１の入出力手段と前記第２の入出力手段との間に介在し、前記第２の入出力手段が有効な信号を入力または出力する第１の状態において前記第１の入出力手段と前記第２の入出力手段との間を接続状態にし、前記第２の入出力手段が有効な信号を入力および出力しない第２の状態において前記第１の入出力手段と前記第２の入出力手段との間を非接続状態にする、接続回路と、前記第１の入出力手段と前記第２の入出力手段との間で前記接続回路に対して並列に接続され、前記第１の周波数帯域および前記第２の周波数帯域に減衰極が生じないように容量が設定されたコンデンサと、前記第１の入出力手段で入力または出力される前記第１の信号および前記第２の信号を入力または出力する第３の入出力手段とを有する。
好ましくは、前記接続回路は、前記第２の入出力手段が前記第１の状態の場合に、前記第１の入出力手段と前記第２の入出力手段との間で信号を伝送可能なインピーダンスを有し、前記第２の入出力手段が前記第２の状態のとき、前記第１の入出力手段と前記フィルタ回路との間を非接続状態にするインピーダンスを有する。
また好ましくは、前記第１の入出力手段と前記接続回路との間、および、前記接続回路と前記第１フィルタ回路または前記フィルタ回路との間には、それぞれ１対の第１の電線対および第２の電線対が設けられており、前記接続回路は、前記第１の電線対の第１の電線と対応する前記第２の電線対の第１の電線との間に、前記第１の入出力手段から前記第１フィルタ回路または前記フィルタ回路に向けて順方向となる第１のダイオードと、前記第１フィルタ回路または前記フィルタ回路から前記第１の入出力手段に向けて順方向となる第２のダイオードとを並列に接続した第１のダイオード並列回路と、前記第１の電線対の第２の電線と対応する前記第２の電線対の第２の電線との間に、前記第１の入出力手段から前記第１フィルタ回路または前記フィルタ回路に向けて順方向となる第３のダイオードと、前記第１フィルタ回路または前記フィルタ回路から前記第１の入出力手段に向けて順方向となる第４のダイオードとを並列に接続した第２のダイオード並列回路とを有する。
好ましくは、前記コンデンサは、前記第１のダイオードと並列に接続された第１のコンデンサと、前記第４のダイオードと並列に接続された第２のコンデンサとを有する。
【００２０】
【発明の実施の形態】
以下、本発明の実施形態に係わる通信システムについて説明する。
第１実施形態
図１は、本実施形態の通信システム１の全体構成図である。
図１に示すように、通信システム１は、例えば、スプリッタ１１ａ，１１ｂ、電話機１２ａ，１２ｂ、ＡＤＳＬモデム１３およびパーソナルコンピュータ１４を有する。
通信システム１では、電話回線の通信ポート３に対して、スプリッタ１１ａと１１ｂとが並列に接続されている。
通信ポート３では、音声周波数帯域である０〜４ＫＨｚの音声信号（本発明の第１の信号）と、データ通信周波数帯２５ＫＨｚ〜１１０４ＫＨｚのデータ信号（本発明の第２の信号）とを重畳した信号が入出力される。
ここで、音声信号は、電話機１２ａ，１２ｂの通話に用いられる信号である。
また、データ信号は、ＡＤＳＬモデム１３で変復調され、パーソナルコンピュータ１４を用いた通信で用いられる信号である。
通信システム１は、例えば、加入者の家庭内などに構築され、スプリッタ１１ａと１１ｂとが異なる部屋に配設されている。
なお、スプリッタ１１ａ，１１ｂが本発明の信号処理装置およびスプリッタに対応している。
【００２１】
以下、図１に示す通信システム１の各構成要素について説明する。
〔スプリッタ１１ａ，１１ｂ〕
スプリッタ１１ａと１１ｂとは、例えば、同じ構成を有している。
以下、スプリッタ１１ａの構成を説明する。
図１に示すように、スプリッタ１１ａは、例えば、ＬＩＮＥポート１５、ＰＨＯＮＥポート１６、モデムポート１７、接続回路１８、ローパスフィルタ回路２０およびハイパスフィルタ回路２１を有する。
ここで、ＬＩＮＥポート１５が本発明の第１の入出力手段に対応し、ＰＨＯＮＥポート１６が本発明の第２の入出力手段に対応し、モデムポート１７が本発明の第３の入出力手段に対応し、接続回路１８が本発明の接続回路に対応し、ローパスフィルタ回路２０が本発明のフィルタ回路および第１のフィルタ回路に対応し、ハイパスフィルタ回路２１が本発明の第２のフィルタ回路に対応している。
【００２２】
ＬＩＮＥポート１５は、接続部Ｌ＿Ｐ１，Ｌ＿Ｐ２を有する。
接続部Ｌ＿Ｐ１には、ツイストペアなどの通信ケーブル５の電線５＿１の一端が接続される。電線５＿１の他端は、電話回線の通信ポート３の接続部Ｌ０＿Ｐ１に接続される。
接続部Ｌ＿Ｐ２には、通信ケーブル５の電線５＿２の一端が接続される。電線５＿２の他端は、電話回線の通信ポート３の接続部Ｌ０＿Ｐ２に接続される。
【００２３】
ＰＨＯＮＥポート１６は、接続部Ｐ＿Ｐ１，Ｐ＿Ｐ２を有する。
接続部Ｐ＿Ｐ１には、ツイストペアなどの通信ケーブル６の第１の電線の一端が接続される。通信ケーブル６の第１の電線の他端は、電話機１２ａに接続される。
接続部Ｐ＿Ｐ２には、通信ケーブル６の第２の電線の一端が接続される。通信ケーブル６の第２の電線の他端は、電話機１２ａに接続される。
【００２４】
モデムポート１７は、接続部Ｍ＿Ｐ１，Ｍ＿Ｐ２を有する。
接続部Ｍ＿Ｐ１には、ツイストペアなどの通信ケーブル７の第１の電線の一端が接続される。通信ケーブル７の第１の電線の他端は、ＡＤＳＬモデム１３に接続される。
接続部Ｍ＿Ｐ２には、通信ケーブル７の第２の電線の一端が接続される。通信ケーブル７の第２の電線の他端は、ＡＤＳＬモデム１３に接続される。
【００２５】
接続回路１８では、ＬＩＮＥポート１５の接続部Ｌ＿Ｐ１とローパスフィルタ回路２０との間の第１の電線上に、接続部Ｌ＿Ｐ１からローパスフィルタ回路２０に向けて順方向となるダイオードＤ１と、ローパスフィルタ回路２０から接続部Ｌ＿Ｐ１に向けて順方向となるダイオードＤ２とが相互に並列に配設されている。
ダイオードＤ１は、電話機１２ａがオフフック状態（通信ケーブル６の第１の電線と第２の電線とが接続状態になり、ＰＨＯＮＥポート１６を介して有効な信号が入力または出力される場合）となり、通信ポート３から電話機１２ａに向けて電話回線電流が流れている場合に、当該電話回線電流がバイアス電流となって、インピーダンスが音声信号伝送可能な程度に小さくなる。
ダイオードＤ２は、電話機１２ａがオフフック状態となり、電話機１２ａから通信ポート３に向けて電話回線電流が流れている場合に、これが順方向のバイアス電流となって、インピーダンスが音声信号伝送可能な程度に小さくなる。
また、ダイオードＤ１，Ｄ２は、電話機１２ａがオンフック状態（通信ケーブル６の第１の電線と第２の電線とが切断状態（非接続状態）になり、ＰＨＯＮＥポート１６を介して有効な信号が入力および出力されない場合）の場合に、インピーダンスが、ＬＩＮＥポート１５の接続部Ｌ＿Ｐ１とローパスフィルタ回路２０とが実質的に切断状態（非導通状態）になる程度に大きくなる。
【００２６】
また、接続回路１８では、ＬＩＮＥポート１５の接続部Ｌ＿Ｐ２とローパスフィルタ回路２０との間の第２の電線上に、接続部Ｌ＿Ｐ２からローパスフィルタ回路２０に向けて順方向となるダイオードＤ３と、ローパスフィルタ回路２０から接続部Ｌ＿Ｐ２に向けて順方向となるダイオードＤ４とが相互に並列に配設されている。
ダイオードＤ３は、電話機１２ａがオフフック状態（通信ケーブル６の第１の電線と第２の電線とが接続状態）となり、通信ポート３から電話機１２ａに向けて電話回線電流が流れている場合に、これが順方向のバイアス電流となって、インピーダンスが音声信号伝送可能な程度に小さくなる。
ダイオードＤ４は、電話機１２ａがオフフック状態となり、電話機１２ａから通信ポート３に向けて電話回線電流が流れている場合に、これが順方向のバイアス電流となって、インピーダンスが音声信号伝送可能な程度に小さくなる。
また、ダイオードＤ３，Ｄ４は、電話機１２ａがオンフック状態（通信ケーブル６の第１の電線と第２の電線とが切断状態（非接続状態）の場合に、インピーダンスが、ＬＩＮＥポート１５の接続部Ｌ＿Ｐ２とローパスフィルタ回路２０とが実質的に切断状態（非導通状態）になる程度に大きくなる。
【００２７】
本実施形態では、このような接続回路１８をＬＩＮＥポート１５とローパスフィルタ回路２０との間に設けたことで、電話機１２ａがオンフック状態で、ローパスフィルタ回路２０を通信ケーブル５から切断する（非接続状態にする）ことができる。
【００２８】
ローパスフィルタ回路２０は、ＬＩＮＥポート１５および接続回路１８を介して入力した信号から、データ通信周波数帯２５ＫＨｚ〜１１０４ＫＨｚのデータ信号を減衰し（透過させず）、音声周波数帯域である０〜４ＫＨｚの音声信号を透過して（を透過させて）ＰＨＯＮＥポート１６に出力する。
図２は、ラダー型のローパスフィルタ回路２０の構成の一例を説明するための図である。  図２に示すように、端子３０＿１，３０＿２，３１＿１，３１＿２を有する。
端子３０＿１は、ダイオードＤ１，Ｄ２に接続されている。
端子３０＿２は、ダイオードＤ３，Ｄ４に接続されている。
端子３１＿１は、接続部Ｐ＿Ｐ１に接続されている。
端子３１＿２は、接続部Ｐ＿Ｐ２に接続されている。
端子３０＿１と端子３１＿１との間には、コイルＬ１，Ｌ２が直列に接続されている。
端子３０＿２と端子３１＿２との間には、コイルＬ３，Ｌ４が直列に接続されている。
コイルＬ１とＬ２の接合部と、コイルＬ３とＬ４の接合部との間には、コンデンサＣ１が設けられている。
端子３１＿１と端子３１＿２との間には、コンデンサＣ２が設けられている。
ローパスフィルタ回路２０は、入力された信号の周波数が高くなるに従い、コイルＬ１〜Ｌ４のリアクタンスが大きくなり、一方、コンデンサＣ１，Ｃ２のリアクタンスが小さくなるため、減衰量が大きくなり、フィルタの出力信号が小さくなる。本実施形態では、データ通信周波数帯２５ＫＨｚ〜１１０４ＫＨｚのデータ信号が入力された場合に、減衰量が大きくなるように（当該データ信号を除去するように）、コイルＬ１〜Ｌ４およびコンデンサＣ１，Ｃ２の定数が決められている。
【００２９】
ハイパスフィルタ回路２１は、コンデンサＣ１１とＣ１２とを有する。
コンデンサＣ１１は、ＬＩＮＥポート１５の接続部Ｌ＿Ｐ１と、モデムポート１７の接続部Ｍ＿Ｐ１との間に介在する。
コンデンサＣ１２は、ＬＩＮＥポート１５の接続部Ｌ＿Ｐ２と、モデムポート１７の接続部Ｍ＿Ｐ２との間に介在する。
ハイパスフィルタ回路２１は、ＬＩＮＥポート１５を介して入力した信号から、音声周波数帯域である０〜４ＫＨｚの音声信号を減衰させ（透過させず）、データ通信周波数帯２５ＫＨｚ〜１１０４ＫＨｚのデータ信号を透過して（透過させて）モデムポート１７に出力する。
【００３０】
〔電話機１２ａ，１２ｂ〕
電話機１２ａと１２ｂとは、例えば、同じ構成を有している。
電話機１２ａは、通話時にオフフック状態となり、通信ケーブル６の第１の電線と第２の電線とを接続状態にする。
また、電話機１２ａは、非通話時にオンフック状態となり、通信ケーブル６の第１の電線と第２の電線とを切断状態（非接続状態）にする。
【００３１】
〔ＡＤＳＬモデム１３〕
ＡＤＳＬモデム１３は、通信ケーブル７を介してモデムポート１７から入力したデータ信号を誤り訂正および復調してパーソナルコンピュータ１４に出力する。
また、ＡＤＳＬモデム１３は、通信ケーブル９の第１の電線および第２の電線を介してＰＣ１４から入力したデータ信号を変調して通信ケーブル７を介してモデムポート１７に出力する。
ＡＤＳＬモデム１３におけるデータ信号の変復調には、たとえば、ＤＭＴ(Discrete Multi Tone Moduration)方式が用いられる。ＤＭＴ方式は、データ信号の伝送効率を高めるために、多重搬送波を用いており、各多重搬送波の伝送信号はそれぞれ帯域幅が同一で、その中心周波数が異なるＱＡＭ(Quadrature Amplitude/Phase Modulation) 変調された多数個のサブチャネルの和で構成される。
【００３２】
〔パーソナルコンピュータ１４〕
パーソナルコンピュータ１４は、ＣＰＵ、メモリおよびＩ／Ｆを備え、ＡＤＳＬモデム１３、スプリッタ１１ａ、並びに通信ポート３に接続された電話回線を介して他のサーバ装置などとの間で、データ信号の送受信を行う。
【００３３】
以下、上述した通信システム１の動作例を説明する。
当該動作例では、電話機１２ａがオンフック状態、電話機１２ｂがオフフック状態の場合を説明する。
この場合には、電話機１２ａによって、スプリッタ１１ａのＰＨＯＮＥポート１６の接続部Ｐ＿Ｐ１とＰ＿Ｐ２とが切断状態（非接続状態）になっている。
そのため、スプリッタ１１ａの接続回路１８のダイオードＤ１，Ｄ２，Ｄ３，Ｄ４には電話回線電流は流れず、ＬＩＮＥポート１５側から見て接続回路１８は大きなインピーダンスを有し、ＬＩＮＥポート１５とローパスフィルタ回路２０とが実質的に切断状態（非導通状態）になる。
【００３４】
また、電話機１２ｂによって、スプリッタ１１ｂのＰＨＯＮＥポート１６の接続部Ｐ＿Ｐ１とＰ＿Ｐ２とが接続状態になっている。
そのため、スプリッタ１１ｂの接続回路１８のダイオードＤ１，Ｄ２，Ｄ３，Ｄ４には電話回線電流が流れ、ＬＩＮＥポート１５側から見て接続回路１８は通信可能な程度に十分に小さなインピーダンスを有し、ＬＩＮＥポート１５とローパスフィルタ回路２０とが接続状態になる。
スプリッタ１１ｂでは、通信ポート３からの信号が通信ケーブル５を介してＬＩＮＥポート１５で受信され、当該受信した信号が接続回路１８を介してローパスフィルタ回路２０に出力される。
そして、ローパスフィルタ回路２０では、ＬＩＮＥポート１５から入力した信号から、データ通信周波数帯２５ＫＨｚ〜１１０４ＫＨｚのデータ信号を減衰し（透過させず）、音声周波数帯域である０〜４ＫＨｚの音声信号を透過して（透過させて）ＰＨＯＮＥポート１６に出力する。
【００３５】
電話機１２ｂは、スプリッタ１１ｂのＰＨＯＮＥポート１６から入力した音声信号に応じた音声出力を行う。
また、電話機１２ｂからの音声信号が、スプリッタ１１ｂのＰＨＯＮＥポート１６を介してローパスフィルタ回路２０に入力され、ローパスフィルタ回路２０、接続回路１８、ＬＩＮＥポート１５、並びに通信ケーブル５を介して通信ポート３に出力される。
一方、スプリッタ１１ａでは、通信ポート３からの信号が通信ケーブル５およびＬＩＮＥポート１５を介して、ハイパスフィルタ回路２１に入力される。
そして、ハイパスフィルタ回路２１において、ＬＩＮＥポート１５を介して入力した信号から、音声周波数帯域である０〜４ＫＨｚの音声信号が減衰され、データ通信周波数帯２５ＫＨｚ〜１１０４ＫＨｚのデータ信号を透過して（透過させて）モデムポート１７に出力される。
そして、当該データ信号が、モデムポート１７からＡＤＳＬモデム１３に出力され、ＡＤＳＬモデム１３で復調された後に、パーソナルコンピュータ１４に出力される。
また、パーソナルコンピュータ１４からのデータ信号が、通信ケーブル９を介してＡＤＳＬモデム１３に出力され、ＡＤＳＬモデム１３で変調された後に、スプリッタ１１ａのモデムポート１７、ハイパスフィルタ回路２１、ＬＩＮＥポート１５、並びに通信ケーブル５を介して通信ポート３に出力される。
【００３６】
以上説明したように、通信システム１では、スプリッタ１１ａに上述したように接続回路１８を設け、電話機１２ａがオンフック状態でＬＩＮＥポート１５とローパスフィルタ回路２０とが切断状態（非導通状態）になる。
そのため、従来のように、図２に示すスプリッタ１１ａのローパスフィルタ回路２０のコイルＬ１、コンデンサＣ１およびコイルＬ３を直列接続し、コイルＬ２、コンデンサＣ２およびコイルＬ４を直列に接続した回路をコンデンサＣ１に対して並列に接続した回路が、通信ケーブル５の電線５＿１と５＿２との間に挿入されることはなく、電線５＿１と５＿２を伝送する信号に減衰極が生じることを回避でき、高い通信品質を得ることができる。
【００３７】
第１実施形態で示した本発明の構成は、上述した実施形態には限定されない。
例えば、上述した実施形態では、２個のスプリッタ１１ａ，１１ｂが並列に接続された場合を例示したが、３個以上のスプリッタを並列に接続してもよい。
また、上述した実施形態では、ｘＤＳＬの一例としてＡＤＳＬを例示したが、ＶＤＳＬ（Ｖｅｒｙ  ｈｉｇｈ  ｓｐｅｅｄ  Ｄｉｇｉｔａｌ  Ｓｕｂｓｃｒｉｂｅｒ  Ｌｉｎｅ）などのその他の通信方式を用いた場合にも本発明は適用可能である。
また、上述した実施形態では、本発明の信号処理装置をスプリッタに適用した場合を例示したが、スプリッタ以外にも上述したフィルタ回路を備え、並列接続される信号処理装置にも本発明は適用可能である。
【００３８】
上述した実施形態では、スプリッタ１１ａ，１１ｂの構成としてハイパスフィルタ回路２１を備えた場合を例示したが、図３に示すように、ＬＩＮＥポート１５、接続回路１８、ローパスフィルタ回路２０およびＰＨＯＮＥポート１６を備え、ハイパスフィルタ回路２１を備えていないスプリッタ６１ｂを用いてもよい。
【００３９】
また、図４に示すスプリッタ８１ｂのように、例えば、ＬＩＮＥポート１５、ＰＨＯＮＥポート１６、モデムポート１７、接続回路１８およびローパスフィルタ回路２０を有し、ハイパスフィルタ回路２１を備えないものを用いても良い。
【００４０】
また、図１に示すスプリッタ１１ａ，１１ｂの接続回路１８は、上述したようにダイオードを用いるものの他、図５に示すように、接合型のスイッチ８０を用いてもよい。この場合に、スイッチ８０は、制御信号ＣＮＴによりオン／オフが切り換えられる。制御信号ＣＮＴは、ＰＨＯＮＥポート１６に接続された電話機１２ａがオンフック状態およびオフフック状態の何れであるかを検出する手段で生成される。
【００４１】
第２実施形態
図６は、本実施形態の通信システム５０１の全体構成図である。
図６に示すように、通信システム５０１は、例えば、スプリッタ５１１ａ，５１１ｂ、電話機１２ａ，１２ｂ、ＡＤＳＬモデム１３およびパーソナルコンピュータ１４を有する。
図６において、図１と同じ符号を付した構成要素は、第１実施形態で説明したものと同じである。
通信システム５０１では、電話回線の通信ポート３に対して、スプリッタ５１１ａと５１１ｂとが並列に接続されている。
スプリッタ５１１ａ，５１１ｂが本発明の信号処理装置およびスプリッタに対応している。
スプリッタ５１１ａ，５１１ｂは、図１に示すスプリッタ１１ａ，１１ｂの構成と対比して分かるように、スプリッタ１１ａ，１１ｂの構成に、接続回路１８と並列に配設されたコンデンサＣ３０，Ｃ３１を追加した構成を有している。
【００４２】
以下、図６に示すスプリッタ５１１ａ，５１１ｂについて説明する。
スプリッタ５１１ａと５１１ｂとは、例えば、同じ構成を有している。
図６に示すように、スプリッタ５１１ａは、例えば、ＬＩＮＥポート１５、ＰＨＯＮＥポート１６、モデムポート１７、接続回路１８、ローパスフィルタ回路２０、ハイパスフィルタ回路２１、並びにコンデンサＣ３０，Ｃ３１を有する。ここで、ＬＩＮＥポート１５が本発明の第１の入出力手段に対応し、ＰＨＯＮＥポート１６が本発明の第２の入出力手段に対応し、モデムポート１７が本発明の第３の入出力手段に対応し、接続回路１８が本発明の接続回路に対応し、ローパスフィルタ回路２０が本発明のフィルタ回路および第１のフィルタ回路に対応し、ハイパスフィルタ回路２１が本発明の第２のフィルタ回路に対応し、コンデンサＣ３０，Ｃ３１が本発明のコンデンサに対応している。
【００４３】
コンデンサＣ３０は、ＬＩＮＥポート１５の接続部Ｌ＿Ｐ１とローパスフィルタ回路２０との間の第１の電線上に、ダイオードＤ１，Ｄ２と並列に接続されている。
コンデンサＣ３１は、ＬＩＮＥポート１５の接続部Ｌ＿Ｐ２とローパスフィルタ回路２０との間の第２の電線上に、ダイオードＤ３，Ｄ４と並列に接続されている。
コンデンサＣ３０，Ｃ３１の容量は、通信システム１の動作時に音声周波数帯域である０〜４ＫＨｚ（第１の周波数帯域）とデータ通信周波数帯域である２５ＫＨｚ〜１１０４ＫＨｚ（第２の周波数帯域）とにローパスフィルタ回路２０との関係で減衰極が生じないように設定されている。
【００４４】
通信システム５０１の動作は、コンデンサＣ３０，Ｃ３１によって、減衰極が音声周波数帯域およびデータ通信周波数帯域からずれるという点を除いて、前述した第１実施形態の通信システム１と同じである。
【００４５】
以上、説明したように、通信システム５０１によれば、コンデンサＣ３０，Ｃ３１を用いたことで、数百ｐＦの容量を持つコンデンサと等価のダイオードＤ１，Ｄ２，Ｄ３，Ｄ４と、図２に示すローパスフィルタ回路２０のコイルＬ１，Ｌ２，Ｌ３，Ｌ４およびコンデンサＣ１，Ｃ２との組み合わせにより音声周波数帯域およびデータ通信周波数帯域に減衰極が生じることを回避できる。そのため、音声通話およびデータ通信を高品質に行うことができる。
【００４６】
本発明は上述した実施形態には限定されない。
例えば、上述した実施形態では、２個のスプリッタ５１１ａ，５１１ｂが並列に接続された場合を例示したが、３個以上のスプリッタを並列に接続してもよい。
また、上述した実施形態では、スプリッタ５１１ａ，５１１ｂの構成としてハイパスフィルタ回路２１を備えた場合を例示したが、図７に示すように、ＬＩＮＥポート１５、接続回路１８、コンデンサＣ３０，Ｃ３１、ローパスフィルタ回路２０およびＰＨＯＮＥポート１６を備え、ハイパスフィルタ回路２１を備えていないスプリッタ５６１ｂを用いてもよい。
【００４７】
また、図８に示すスプリッタ５８１ｂのように、例えば、ＬＩＮＥポート１５、ＰＨＯＮＥポート１６、モデムポート１７、接続回路１８、コンデンサＣ３０，Ｃ３１およびローパスフィルタ回路２０を有し、ハイパスフィルタ回路２１を備えていないスプリッタ５８１ｂを用いても良い。
【００４８】
第３実施形態
図９は、本実施形態の通信システム６０１の全体構成図である。
図９に示すように、通信システム６０１は、例えば、信号処理装置２ａ，２ｂ、スプリッタ２１ａ，２１ｂ、電話機１２ａ，１２ｂ、ＡＤＳＬモデム１３およびパーソナルコンピュータ１４を有する。
通信システム６０１では、電話回線の通信ポート３に対して、信号処理装置２ａおよびスプリッタ２１ａと、信号処理装置２ｂおよびスプリッタ２１ｂとが並列に接続されている。
通信ポート３では、音声周波数帯域である０〜４ＫＨｚの音声信号（本発明の第１の信号）と、データ通信周波数帯２５ＫＨｚ〜１１０４ＫＨｚのデータ信号（本発明の第２の信号）とを重畳した信号が入出力される。
ここで、音声信号は、電話機１２ａ，１２ｂの通話に用いられる信号である。
また、データ信号は、ＡＤＳＬモデム１３で変復調され、パーソナルコンピュータ１４を用いた通信で用いられる信号である。
通信システム６０１は、例えば、加入者の家庭内などに構築され、信号処理装置２ａおよびスプリッタ２１ａと、信号処理装置２ｂおよびスプリッタ２１ｂとが異なる部屋に配設されている。
なお、信号処理装置２ａ，２ｂが本発明の信号処理装置に対応している。
【００４９】
以下、図９に示す通信システム６０１の各構成要素について説明する。
〔信号処理装置２ａ，２ｂ〕
信号処理装置２ａと２ｂとは、例えば、同じ構成を有している。
以下、信号処理装置２ａの構成を説明する。
図９に示すように、信号処理装置２ａは、例えば、ＬＩＮＥポート８０、スプリッタポート８１、モデムポート８２、接続回路１８、コンデンサＣ３０，Ｃ３１、ハイパスフィルタ回路を構成するコンデンサＣ１１，Ｃ１２を有する。
ここで、ＬＩＮＥポート８０が本発明の第１の入出力手段に対応し、スプリッタポート８１が本発明の第２の入出力手段に対応し、モデムポート８２が本発明の第３の入出力手段に対応し、接続回路１８が本発明の接続回路に対応し、コンデンサＣ１１，Ｃ１２が本発明の第２のフィルタ回路に対応し、コンデンサＣ３０，Ｃ３１が本発明のコンデンサに対応している。
【００５０】
ＬＩＮＥポート８０は、接続部Ｌ＿Ｐ１，Ｌ＿Ｐ２を有する。
接続部Ｌ＿Ｐ１には、ツイストペアなどの通信ケーブル５の電線５＿１の一端が接続される。電線５＿１の他端は、電話回線の通信ポート３の接続部Ｌ０＿Ｐ１に接続される。
接続部Ｌ＿Ｐ２には、通信ケーブル５の電線５＿２の一端が接続される。電線５＿２の他端は、電話回線の通信ポート３の接続部Ｌ０＿Ｐ２に接続される。
【００５１】
スプリッタポート８１は、接続部Ｓ＿Ｐ１，Ｓ＿Ｐ２を有する。
接続部Ｓ＿Ｐ１には、ツイストペアなどの通信ケーブル６の第１の電線の一端が接続される。通信ケーブル６の第１の電線の他端は、スプリッタ２１ａに接続される。
接続部Ｓ＿Ｐ２には、通信ケーブル６の第２の電線の一端が接続される。通信ケーブル６の第２の電線の他端は、スプリッタ２１ａに接続される。
【００５２】
モデムポート８２は、接続部Ｍ＿Ｐ１，Ｍ＿Ｐ２を有する。
接続部Ｍ＿Ｐ１には、ツイストペアなどの通信ケーブル７の第１の電線の一端が接続される。通信ケーブル７の第１の電線の他端は、ＡＤＳＬモデム１３に接続される。
接続部Ｍ＿Ｐ２には、通信ケーブル７の第２の電線の一端が接続される。通信ケーブル７の第２の電線の他端は、ＡＤＳＬモデム１３に接続される。
【００５３】
接続回路１８では、ＬＩＮＥポート８０の接続部Ｌ＿Ｐ１とスプリッタポート８１の接続部Ｓ＿Ｐ１との間の第１の電線上に、接続部Ｌ＿Ｐ１から接続部Ｓ＿Ｐ１に向けて順方向となるダイオードＤ１と、接続部Ｓ＿Ｐ１から接続部Ｌ＿Ｐ１に向けて順方向となるダイオードＤ２とが相互に並列に配設している。
ダイオードＤ１は、電話機１２ａがオフフック状態（通信ケーブル６の第１の電線と第２の電線とが接続状態となり、スプリッタポート８１で有効な信号が入力および出力される状態）となり、通信ポート３からスプリッタ２１ａに向けて電話回線電流が流れ、当該電話回線電流が順方向のバイアス電流となる場合に、インピーダンスが音声信号伝送可能な程度に小さくなる。
ダイオードＤ２は、電話機１２ａがオフフック状態となり、電話機１２ａから通信ポート３に向けて電話回線電流が流れ、これが順方向のバイアス電流となる場合に、インピーダンスが音声信号伝送可能な程度に小さくなる。
また、ダイオードＤ１，Ｄ２は、電話機１２ａがオンフック状態（通信ケーブル６の第１の電線と第２の電線とが切断状態（非接続状態）となり、スプリッタポート８１で有効な信号が入力および出力されない状態）の場合に、電話回線電流が流れないため、ＬＩＮＥポート８０の接続部Ｌ＿Ｐ１とスプリッタポート８１の接続部Ｓ＿Ｐ１とが実質的に切断状態（非導通状態）になる程度にインピーダンスが大きくなる。
【００５４】
また、接続回路１８では、ＬＩＮＥポート８０の接続部Ｌ＿Ｐ２とスプリッタポート８１の接続部Ｓ＿Ｐ１との間の第２の電線上に、接続部Ｌ＿Ｐ２から接続部Ｓ＿Ｐ２に向けて順方向となるダイオードＤ３と、接続部Ｓ＿Ｐ２から接続部Ｌ＿Ｐ２に向けて順方向となるダイオードＤ４とが相互に並列に配設されている。
ダイオードＤ３は、電話機１２ａがオフフック状態（通信ケーブル６の第１の電線と第２の電線とが接続状態）となり、通信ポート３から電話機１２ａに向けて電話回線電流が流れ、これが順方向のバイアス電流となる場合に、インピーダンスが音声信号伝送可能な程度に小さくなる。
ダイオードＤ４は、電話機１２ａがオフフック状態となり、電話機１２ａから通信ポート３に向けて電話回線電流が流れ、これが順方向のバイアス電流となる場合に、インピーダンスが音声信号伝送可能な程度に小さくなる。
また、ダイオードＤ３，Ｄ４は、電話機１２ａがオンフック状態（通信ケーブル６の第１の電線と第２の電線とが切断状態（非接続状態）の場合に、電話回線電流が流れないため、ＬＩＮＥポート８０の接続部Ｌ＿Ｐ２とスプリッタポート８１の接続部Ｓ＿Ｐ２とが実質的に切断状態（非導通状態）になる程度にインピーダンスが大きくなる。
【００５５】
本実施形態では、このような接続回路１８をＬＩＮＥポート８０とスプリッタポート８１との間に設けたことで、電話機１２ａがオンフック状態で、後述するスプリッタ２１ａ内のローパスフィルタ回路を通信ケーブル５から切断する（非接続状態にする）ことができる。
【００５６】
コンデンサＣ３０は、ＬＩＮＥポート８０の接続部Ｌ＿Ｐ１とスプリッタポート８１の接続部Ｓ＿Ｐ１との間の第１の電線上に、ダイオードＤ１，Ｄ２と並列に接続されている。
コンデンサＣ３１は、ＬＩＮＥポート８０の接続部Ｌ＿Ｐ２とスプリッタポート８１の接続部Ｓ＿Ｐ２との間の第２の電線上に、ダイオードＤ３，Ｄ４と並列に接続されている。
コンデンサＣ３０，Ｃ３１の容量は、通信システム１の動作時に音声周波数帯域である０〜４ＫＨｚ（第１の周波数帯域）とデータ通信周波数帯域である２５ＫＨｚ〜１１０４ＫＨｚ（第２の周波数帯域）に減衰極が生じないように設定されている。
【００５７】
また、信号処理装置２ａでは、コンデンサＣ１１とＣ１２によってハイパスフィルタ回路が構成される。
コンデンサＣ１１は、ＬＩＮＥポート８０の接続部Ｌ＿Ｐ１と、モデムポート８２の接続部Ｍ＿Ｐ１との間に介在する。
コンデンサＣ１２は、ＬＩＮＥポート８０の接続部Ｌ＿Ｐ２と、モデムポート８２の接続部Ｍ＿Ｐ２との間に介在する。
コンデンサＣ１１，Ｃ１２によって構成されるハイパスフィルタ回路は、ＬＩＮＥポート８０を介して入力した信号から、音声周波数帯域である０〜４ＫＨｚの音声信号を減衰し（透過させず）、データ通信周波数帯２５ＫＨｚ〜１１０４ＫＨｚのデータ信号を透過して（透過させて）モデムポート８２に出力する。
【００５８】
〔スプリッタ２１ａ，２１ｂ〕
スプリッタ２１ａと２１ｂとは、例えば、同じ構成を有している。
以下、スプリッタ２１ａの構成を説明する。
図１０は、図９に示すスプリッタ２１ａの構成図である。
図１０に示すように、スプリッタ２１ａは、例えば、ＬＩＮＥポート８５、ＰＨＯＮＥポート８６、モデムポート８７、ローパスフィルタ回路２０およびハイパスフィルタ回路５１を有する。
【００５９】
ＬＩＮＥポート８５は、接続部Ｌ＿Ｐ１１，Ｌ＿Ｐ１２を有する。
接続部Ｌ＿Ｐ１１には、図９に示す通信ケーブル６の第１の電線の一端が接続される。当該第１の電線の他端は、信号処理装置２ａの接続部Ｓ＿Ｐ１に接続される。
接続部Ｌ＿Ｐ１２には、図９に示す通信ケーブル６の第２の電線の一端が接続される。当該第２の電線の他端は、信号処理装置２ａの接続部Ｓ＿Ｐ２に接続される。
【００６０】
ＰＨＯＮＥポート８６は、接続部Ｐ＿Ｐ１，Ｐ＿Ｐ２を有する。
接続部Ｐ＿Ｐ１には、図９に示すツイストペアなどの通信ケーブル８の第１の電線の一端が接続される。通信ケーブル８の第１の電線の他端は、電話機１２ａに接続される。
接続部Ｐ＿Ｐ２には、通信ケーブル７の第２の電線の一端が接続される。通信ケーブル８の第２の電線の他端は、電話機１２ａに接続される。
【００６１】
モデムポート８７は、接続部Ｍ＿Ｐ１１，Ｍ＿Ｐ１２を有する。本実施形態では、モデムポート８７は使用されていない。
ハイパスフィルタ回路５１は、コンデンサＣ２１，Ｃ２２を有し、データ信号を透過し（透過させ）、音声信号を透過しない（透過させない）。
【００６２】
ローパスフィルタ回路２０は、図１０を用いて第１実施形態で説明した構成を有している。
【００６３】
〔電話機１２ａ，１２ｂ〕
電話機１２ａと１２ｂとは、例えば、同じ構成を有している。
電話機１２ａは、通話時にオフフック状態となり、通信ケーブル８の第１の電線と第２の電線とを接続状態にする。
また、電話機１２ａは、非通話時にオンフック状態となり、通信ケーブル８の第１の電線と第２の電線とを切断状態（非接続状態）にする。
【００６４】
〔ＡＤＳＬモデム１３〕
ＡＤＳＬモデム１３は、通信ケーブル７を介して信号処理装置２ａのモデムポート８２から入力したデータ信号を誤り訂正および復調してパーソナルコンピュータ１４に出力する。
また、ＡＤＳＬモデム１３は、通信ケーブル９の第１の電線および第２の電線を介してＰＣ１４から入力したデータ信号を変調して通信ケーブル７を介して信号処理装置２ａのモデムポート８２に出力する。
【００６５】
〔パーソナルコンピュータ１４〕
パーソナルコンピュータ１４は、ＣＰＵ、メモリおよびＩ／Ｆを備え、ＡＤＳＬモデム１３、スプリッタ２１ａ、並びに通信ポート３に接続された電話回線を介して他のサーバ装置などとの間で、データ信号の送受信を行う。
【００６６】
以下、上述した通信システム６０１の動作例を説明する。
当該動作例では、電話機１２ａがオンフック状態、電話機１２ｂがオフフック状態の場合を説明する。
この場合には、電話機１２ａによって、スプリッタ２１ａのＰＨＯＮＥポート８６の接続部Ｐ＿Ｐ１とＰ＿Ｐ２とが切断状態（非接続状態）になっている。
これにより、信号処理装置２ａの接続回路１８のダイオードＤ１，Ｄ２，Ｄ３，Ｄ４には電話回線電流は流れず、接続回路１８は大きなインピーダンスを有し、ＬＩＮＥポート８０とスプリッタポート８１とが実質的に切断状態（非導通状態）になる。すなわち、ケーブル５とスプリッタ２１ａのローパスフィルタ回路２０とが切断状態（非導通状態）になる。
【００６７】
また、電話機１２ｂによって、スプリッタ２１ｂのＰＨＯＮＥポート８６の接続部Ｐ＿Ｐ１とＰ＿Ｐ２とが接続状態になっている。
そのため、信号処理装置２ｂの接続回路１８のダイオードＤ１，Ｄ２，Ｄ３，Ｄ４には電話回線電流が流れ、接続回路１８は通信可能な程度に十分に小さなインピーダンスを有し、ＬＩＮＥポート８０とスプリッタポート８１とが接続状態になる。すなわち、ケーブル５とスプリッタ２１ｂのローパスフィルタ回路２０とが接続状態になる。
信号処理装置２ｂでは、通信ポート３からの信号が通信ケーブル５を介してＬＩＮＥポート８０で受信され、当該受信した信号が接続回路１８、スプリッタポート８１、ＬＩＮＥポート８５を介してスプリッタ２１ｂ内のローパスフィルタ回路２０に出力される。
そして、ローパスフィルタ回路２０では、ＬＩＮＥポート８５から入力した信号から、データ通信周波数帯２５ＫＨｚ〜１１０４ＫＨｚのデータ信号を減衰し（透過させず）、音声周波数帯域である０〜４ＫＨｚの音声信号を透過して（透過させて）ＰＨＯＮＥポート８６に出力する。
【００６８】
電話機１２ｂは、スプリッタ２１ｂのＰＨＯＮＥポート８６から入力した音声信号に応じた音声出力を行う。
また、電話機１２ｂからの音声信号が、スプリッタ２１ｂのＰＨＯＮＥポート８６を介してローパスフィルタ回路２０に入力され、ローパスフィルタ回路２０、ＬＩＮＥポート８５、並びに信号処理装置２ｂを介して通信ポート３に出力される。
一方、信号処理装置２ａでは、通信ポート３からの信号が通信ケーブル５およびＬＩＮＥポート８０を介して、ハイパスフィルタ回路を構成するコンデンサＣ２１，Ｃ２２に入力される。
そして、コンデンサＣ２１，Ｃ２２において、ＬＩＮＥポート８０を介して入力した信号から、音声周波数帯域である０〜４ＫＨｚの音声信号が減衰され、データ通信周波数帯２５ＫＨｚ〜１１０４ＫＨｚのデータ信号を透過して（が透過されて）モデムポート８２に出力される。
そして、当該データ信号が、モデムポート８２から通信ケーブル７を介してＡＤＳＬモデム１３に出力され、ＡＤＳＬモデム１３で復調された後に、通信ケ−ブル９を介してパーソナルコンピュータ１４に出力される。
また、パーソナルコンピュータ１４からのデータ信号が、通信ケーブル９を介してＡＤＳＬモデム１３に出力され、ＡＤＳＬモデム１３で変調された後に、信号処理装置２ａのモデムポート８２、ハイパスフィルタ回路を構成するコンデンサＣ２１，Ｃ２２、ＬＩＮＥポート８０、並びに通信ケーブル５を介して通信ポート３に出力される。
【００６９】
また、通信システム５０１では、上述した動作は、コンデンサＣ３０，Ｃ３１の機能によって、減衰極が音声周波数帯域およびデータ通信周波数帯域からずれるように行われる。
【００７０】
以上説明したように、通信システム６０１では、上述した構成の信号処理装置２ａ，２ｂをそれぞれスプリッタ２１ａ，２１ｂの前段に設け、電話機１２ａがオンフック状態でケーブル５とスプリッタ２１ａ内のローパスフィルタ回路２０とが切断状態（非導通状態）になる。
そのため、従来のように、図２に示すスプリッタ２１ａのローパスフィルタ回路２０のコイルＬ１、コンデンサＣ２１およびコイルＬ３を直列接続し、コイルＬ２、コンデンサＣ２２およびコイルＬ４を直列に接続した回路をコンデンサ２１に対して並列に接続した回路が、通信ケーブル５の電線５＿１と５＿２との間に挿入されることはなく、電線５＿１と５＿２を伝送する信号に減衰極が生じることを回避でき、高い通信品質を得ることができる。
また、通信システム６０１によれば、コンデンサＣ３０，Ｃ３１を用いたことで、数百ｐＦの容量を持つコンデンサと等価のダイオードＤ１，Ｄ２，Ｄ３，Ｄ４と、図２に示すローパスフィルタ回路２０のコイルＬ１，Ｌ２，Ｌ３，Ｌ４およびコンデンサＣ１，Ｃ２との組み合わせにより音声周波数帯域およびデータ通信帯域に減衰極が生じることを回避できる。そのため、音声通話およびデータ通信を高品質に行うことができる。
【００７１】
第３実施形態の変形例
上述した第１実施形態では、信号処理装置２ａ，２ｂの構成としてコンデンサＣ１１，Ｃ１２から構成されるハイパスフィルタ回路を備えた場合を例示したが、図１１に示すように、ＬＩＮＥポート８０、接続回路１８およびスプリッタポート８１を備え、ハイパスフィルタ回路を備えていない信号処理装置２０２ｂを用いてもよい。
【００７２】
なお、上述した実施形態では、本発明の第１の信号として音声信号を例示したが、当該第１の信号はデータ信号であってもよい。この場合は、本発明により、２つのデータ信号が重畳された信号が、２つのデータ信号に分離される。
【００７３】
【発明の効果】
以上説明したように、本発明によれば、フィルタ回路を備えた複数の信号処理装置が並列された場合でも、信号減衰を生じない信号処理装置およびスプリッタを提供することができる。
また、本発明によれば、第１の周波数帯域および第２の周波数帯域に減衰極が生じなく、高品質な音声通話およびデータ通信が可能な信号処理装置およびスプリッタを提供できる。
【図面の簡単な説明】
【図１】図１は、本発明の第１実施形態の通信システムの全体構成図である。
【図２】図２は、図１に示すローパスフィルタ回路の構成の一例を説明するための図である。
【図３】図３は、図１に示すスプリッタの第１の変形例を説明するための図である。
【図４】図４は、図１に示すスプリッタの第２の変形例を説明するための図である。
【図５】図５は、図１に示すスプリッタの第３の変形例を説明するための図である。
【図６】図６は、本発明の第２実施形態の通信システムの全体構成図である。
【図７】図７は、図６に示すスプリッタの第１の変形例を説明するための図である。
【図８】図８は、図６に示すスプリッタの第２の変形例を説明するための図である。
【図９】図９は、本発明の第３実施形態の通信システムの全体構成図である。
【図１０】図１０は、図９に示すスプリッタの構成図である。
【図１１】図１１は、図９に示す通信システムの変形例を説明するための図である。
【符号の説明】
２ａ，２ｂ，２０２ｂ…信号処理装置、３…通信ポート、５，６，７，８，９…通信ケーブル、１１ａ，１１ｂ，２１ａ，２１ｂ，５１１ａ，５１１ｂ…スプリッタ、１２ａ，１２ｂ…電話機、１３…ＡＤＳＬモデム、１４…パーソナルコンピュータ、１８…接続回路、２０…ローパスフィルタ回路、２１…ハイパスフィルタ回路、Ｃ３０，Ｃ３１…コンデンサ
【図１】
0004024084.tif 000002
【図２】
0004024084.tif 000003
【図３】
0004024084.tif 000004
【図４】
0004024084.tif 000005
【図５】
0004024084.tif 000006
【図６】
0004024084.tif 000007
【図７】
0004024084.tif 000008
【図８】
0004024084.tif 000009
【図９】
0004024084.tif 000010
【図１０】
0004024084.tif 000011
【図１１】
0004024084.tif 000012